(57)【要約】  ストッキングの足底の底面に滑り止め手段を有する圧迫ストッキングを記載する。滑り止め手段は、波形状を有する1つまたは複数の細長いグリップ部材を含む。足底は、織物トレッド、およびトレッドに重なる細長いグリップ部材の少なくとも一部を含む。
2013544982.tif 000002
【特許請求の範囲】
【請求項１】
着用者の足の少なくとも一部を覆うための足部分であって、つま先領域、踵領域、および前記つま先領域と前記踵領域との間に延在する足底を含み、前記足底が床と接触する底面を有する、足部分と、
前記足底の前記底面に設けられた滑り止め手段であって、前記底面の少なくとも一部において重なる波形状を有する1つまたは複数の細長いグリップ部材を含む、滑り止め手段と、
を備える、圧迫ストッキング。
【請求項２】
前記波形状が実質的に正弦波形状である、請求項1に記載の圧迫ストッキング。
【請求項３】
前記波形状が実質的にジグザグ形状である、請求項1に記載の圧迫ストッキング。
【請求項４】
前記足底の前記底面が前記つま先領域と前記踵領域との間で前記足底の長手方向に延在し、前記波形状を有する前記1つまたは複数の細長いグリップ部材の伸張方向が、前記長手方向に対して垂直な、実質的に前記足底の横方向である、請求項1、2、または3に記載の圧迫ストッキング。
【請求項５】
波形状を有する複数のグリップ部材を備える、請求項1から4のいずれか一項に記載の圧迫ストッキング。
【請求項６】
請求項4に従属する場合、前記グリップ部材が前記足底の前記長手方向に間隔をおいて配置される、請求項5に記載の圧迫ストッキング。
【請求項７】
外側グリップ部材をさらに備え、前記外側グリップ部材が波形状を有する前記1つまたは複数のグリップ部材の一部または全体を取り囲む、請求項1から6のいずれか一項に記載の圧迫ストッキング。
【請求項８】
前記外側グリップ部材が実質的にU形状であり、前記U形状の開口部が前記つま先領域に隣接する、請求項7に記載の圧迫ストッキング。
【請求項９】
前記滑り止め手段が前記つま先領域と前記踵領域との間で前記足底の実質的に全長に延在する、請求項1から8のいずれか一項に記載の圧迫ストッキング。
【請求項１０】
ウエルトに取り囲まれたつま先開口部を含む、請求項1から9のいずれか一項に記載の圧迫ストッキング。
【請求項１１】
前記グリップ部材の1つの少なくとも一部が前記ウエルトからの距離2cm以下に設けられる、請求項10に記載の圧迫ストッキング。
【請求項１２】
前記底面がトレッドを含む、請求項1から11のいずれか一項に記載の圧迫ストッキング。
【請求項１３】
着用者の足の少なくとも一部を覆うための足部分であって、つま先領域、踵領域、および前記つま先領域と前記踵領域との間に延在する足底を含み、前記足底が床と接触する底面を有する、足部分と、
滑り止め手段であって、前記足底の前記底面に、前記足部分および/または前記底面を取り囲む表面よりも粗い表面をもたらす、前記足底の前記底面内のトレッド、ならびに前記底面の少なくとも一部において重なる1つまたは複数のグリップ部材を含む、滑り止め手段と、
を備える、圧迫ストッキング。
【請求項１４】
前記トレッドが織物または編物の材料から形成される、請求項12または13に記載の圧迫ストッキング。
【請求項１５】
前記1つまたは複数のグリップ部材が前記トレッドの少なくとも一部において重なる、請求項12から14のいずれか一項に記載の圧迫ストッキング。
【請求項１６】
少なくとも前記足底を形成する材料が抗菌的に処理される、請求項1から15のいずれか一項に記載の圧迫ストッキング。
【請求項１７】
前記1つまたは複数のグリップ部材が前記底面から突き出る高分子材料で形成される、請求項1から16のいずれか一項に記載の圧迫ストッキング。
【請求項１８】
前記1つまたは複数のグリップ部材が前記底面に配置されたビーディングによって設けられる、請求項1から17のいずれか一項に記載の圧迫ストッキング。
【請求項１９】
着用者の足の少なくとも一部を覆うための足部分であって、つま先領域、および踵領域、ならびに前記つま先領域と前記踵領域との間に延在する足底を含み、前記足底が床と接触する底面を有する、足部分と、
滑り止め手段であって、前記足底の前記底面の少なくとも一部において重なる1つまたは複数のグリップ部材を形成するビーディングを含む、滑り止め手段と、
を備える、圧迫ストッキング。
【請求項２０】
前記グリップ部材が幅5mm未満を有する、請求項19に記載の圧迫ストッキング。
【請求項２１】
前記グリップ部材がシリコーンからなる、請求項19または20に記載の圧迫ストッキング。
【発明の詳細な説明】
【技術分野】
【０００１】
（関連出願の相互参照）
本出願は、参照により内容が本明細書に組み込まれている、2010年11月1日に出願されたオーストラリア国仮特許出願第2010238563号の優先権を主張するものである。
【０００２】
本発明は、ストッキングに関し、詳細には、圧迫ストッキングに関する。
【背景技術】
【０００３】
治療用、または塞栓形成防止用ストッキングとしても知られている圧迫ストッキングは、着用者の肢に圧縮圧力を加えるものである。このストッキングは、通常、たとえば、手術後、または長距離の飛行機の飛行中など、運動が制限されている人によって着用される。運動が低減すると、人の肢の血流速度が低下し、血栓、または塞栓症の危険性が増す恐れがある。足に圧力を加えることによって、血流速度を上げ、こうした危険性を最小限に抑えることができる。
【０００４】
圧迫ストッキングは、靴を履かずに着用することが多いため、着用者が特に滑りやすくなる。入院患者は、比較的弱っていることも、または身体障害者のこともあり、病院の床はよく磨き上げられていることがあるため、さらに滑りやすいことができる。現在、多くの病院では、患者に滑り止め付きオーバーブーツを提供して、滑るのを防いでいる。しかし、それによって病院の費用が増加し、患者が必ずしもオーバーブーツを着用することができるとは限らない。
【０００５】
本明細書に含まれる文書、行為、材料、装置、物品などの考察は全て、こうした事柄の一部、または全てが従来技術のベースの一部を形成するものであること、あるいは本出願の各請求項の最優先日の前に存在していたため本発明に関連する分野の周知の一般知識であったことを容認するものであると考えられるべきではない。
【０００６】
本明細書中で、単語「comprise(備える)」、または「comprises」もしくは「comprising」などの変化形は、記載の要素、整数、またはステップ、あるいは要素、整数、またはステップのグループを含むが、他の要素、整数、またはステップ、あるいは要素、整数、またはステップのグループを全て除外しないものであると理解されたい。
【先行技術文献】
【特許文献】
【０００７】
【特許文献１】オーストラリア国仮特許出願第2010238563号
【発明の概要】
【発明が解決しようとする課題】
【０００８】
本発明は、1つまたは複数の滑り止め機能を備える圧迫ストッキングに関する。圧迫ストッキングの構成は、着用者の転倒を防止することができ、したがって、転倒防止滑り止めストッキングであると考えることができる。
【課題を解決するための手段】
【０００９】
第1の態様によれば、本発明は、圧迫ストッキングを提供し、この、圧迫ストッキングは、着用者の足の少なくとも一部を覆うための足部分であって、つま先領域、および踵領域、ならびにつま先領域と踵領域との間に延在する足底を含み、足底が床と接触する底面を有する、足部分と、足底の底面に設けられた滑り止め手段であって、波形状を有する1つまたは複数の細長いグリップ部材を含む、滑り止め手段と、を備える。
【００１０】
波形状を有する1つまたは複数の細長いグリップ部材を設けることによって、細長いグリップ部材は使用中に足底に合わせて伸張することができる。滑り止め手段の全て、または一部が、足底に合わせて伸張して、滑り止め手段がストッキングの伸張特性に悪影響を与えず、着用者の脚または足に適切な圧力が確実に加えられるようにすることが望ましい。滑り止め手段は、足底に合わせて伸張することによって、足底が伸張するときに、損傷、たとえば断裂を回避することができる。
【００１１】
グリップ部材が伸張するときに、グリップ部材の波形状は直線形状に非常に類似することができる。換言すれば、各グリップ部材の波形状の振幅は、グリップ部材の長さが長くなるに従って、減少することができる。グリップ部材が真直ぐになることによって伸張できることにより、足底の伸張に合わせてグリップ部材が少なくとも部分的に伸張することができる。さらに、グリップ部材を弾性の伸張可能な材料で形成することができる。
【００１２】
伸張特性が向上する他に、グリップ部材に波形状を与えることによって、グリップ部材は、比較的大きい横方向に面する表面領域と長手方向に面する表面領域の両方を有することができ、ストッキングの足底に向上された複数方向の滑り止め特性が与えられる。
【００１３】
波形状は、ジグザグ形状、正弦波形状、または他の波形状でもよく、波形状を生成する振動は、均一でも、または非均一でもよい。複数のグリップ部材が設けられる場合は、各グリップ部材の波形状は同一でも、または異なってもよい。様々な波形状は、様々な波長(山から山までの距離)、様々な振幅(山から谷までの距離)、および/または様々な振動のパターンを有することができる。様々な波形状を有するグリップ部材をそれぞれ足底の底面上のグリップ部材の位置、それぞれの位置の足底の伸張特性、または所望の伸張特性に応じて使用することができる。
【００１４】
つま先領域から踵領域までの底面の延在する方向によって、足底の長手(長さ)方向が定められる。波形状を有する1つまたは複数の細長いグリップ部材の伸張方向は、実質的に足底の横(幅)方向、長手方向に対して垂直でもよい。足底は、横方向に比較的弾性、たとえば、長手方向よりも弾性とすることができる。横方向に延在することによって、グリップ部材は、横方向の足底の伸張に適合するのに特に適している。
【００１５】
複数のグリップ部材が設けられる場合、グリップ部材を足底の長手方向に間隔をおいて配置することができる。各グリップ部材の間隔は実質的に等しくてもよい。各グリップ部材の波形状を足底の長手方向に位置合せすることができる。たとえば、グリップ部材の波形状が同じ周波数を有する場合、各グリップ部材の対応する波形状の山をそれぞれ足底の長手方向軸に沿って位置合せすることができる。波形状の等しい間隔および/または位置合せによって、確実に、波形状が配置される領域にわたり実質的に足底の伸張特性が一定であるようにすることができる。
【００１６】
波形状を有する1つまたは複数の細長いグリップ部材の他に、滑り止め手段は、様々な形状または構成を有する1つまたは複数の他のグリップ部材を備えることができる。たとえば、1つまたは複数の追加のグリップ部材を、波形状を有するグリップ部材の1つ、または複数、あるいは全てを部分的に、もしくは全体的に取り囲むように構成することができる。1つのこうした追加のグリップ部材は、外側グリップ部材でもよく、かつ/または実質的にU形でもよい。U形の開口部を足部分のつま先領域に向かうように位置付けることができる。足のつま先領域は、概して足の最も広い領域であり、足底の伸張をこの領域に向けてより大きくすることができる。つま先領域に向かうように位置付けられたU形の開口部を有することによって、U形の端部が離れるように移動して、U形グリップ部材が断裂することなく、伸張に適応することができる。
【００１７】
第2の態様によれば、本発明は、圧迫ストッキングを提供し、この圧迫ストッキングは、着用者の足の少なくとも一部を覆うための足部分であって、つま先領域、および踵領域、ならびにつま先領域と踵領域との間に延在する足底を含み、足底が床と接触する底面を有する、足部分と、足底の底面内のトレッド、および底面に配置された1つまたは複数のグリップ部材を含む滑り止め手段と、を備える。
【００１８】
トレッドと1つまたは複数のグリップ部材の組合せによって、足底の底面の向上された滑り止め機能を提供することができる。たとえば、細長いグリップ部材はトレッドに部分的に、または全体的に重なることができ、複数の間隔をおいて配置されたグリップ部材が存在する場合、トレッドはグリップ部材間の間隔内に滑り止め機能を与えることができる。
【００１９】
本発明の第1の態様の1つまたは複数の特徴を本発明の第2の態様と組み合わせることができ、その逆も可能である。たとえば、第2の態様では、1つまたは複数のグリップ部材は、第1の態様に関して記載したような波形状を有する細長いグリップ部材でもよい。しかし、グリップ部材の代替形状を使用することもできる。
【００２０】
第1または第2の態様では、圧迫ストッキングを織物または編物の材料など布で少なくとも部分的に形成することができ、トレッドを特殊な織物または編物のパターンなど、特殊な構成の布を使用して形成することができる。トレッドを形成する布構成は、足底の底面に粗面、リブ付き、および/またはでこぼこの領域を提供することができる。一実施形態では、トレッドを形成する織物は、足底の他の部分、および/またはストッキングの他の部分を形成する織物よりも低密度の縫い目を含むことができる。
【００２１】
トレッドを形成する布構成は、足底に耐久性が比較的高い領域を提供することができる。この領域は、比較的厚く、強く、かつ/または断裂に対する耐性を有することができる。トレッドを形成する布構成は、着用によって底面に生じるストッキングの損傷を制限することができる。
【００２２】
第1または第2の態様では、滑り止め手段は、足底の底面の一部または全てにわたり延在することができる。たとえば、滑り止め手段は、足底の長手方向に足底の底面の50%、60%、70%、80%、または90%を超えて全体にわたって延在することができる。同様に、滑り止め手段は、足底の横方向に足底の底面の50%、60%、70%、80%、または90%を超えて全体にわたって延在することができる。
【００２３】
圧迫ストッキングは、つま先開口部を含むことができる。つま先開口部を、足底のつま先領域に隣接するように、またはつま先領域に、足底の底面に位置付けることができる。つま先開口部は、着用者の1つまたは複数の足指の周囲に伸張することができるように伸張可能でもよい。つま先開口部を、必要な場合のみ、ストッキングを着用したまま、足指を検査することができるように、1つまたは複数の足指の周囲で伸張するように設計することができる。あるいは、つま先開口部を、ストッキングを着用したまま、1つまたは複数の足指がストッキングから絶えず突き出ることができるように設計することもできる。つま先開口部をウエルト、たとえば、弾性ウエルトによって画成することができる。
【００２４】
滑り止め手段がつま先開口部付近に滑り止め機能を確実に与えるようにするには、滑り止め手段の少なくとも一部、たとえば、1つまたは複数のグリップ部材の一部をつま先開口部付近に位置付けることができる。たとえば、1つまたは複数のグリップ部材の少なくとも一部を穴の縁部から、またはウエルトの縁部から3cm未満、または2cm未満、または1cm未満の距離に位置付けることができる。
【００２５】
グリップ部材を、足底の底面上のビーディングによって設けることができる。グリップ部材は、たとえば、足底または足部分を形成する材料と比べて、比較的高い摩擦係数を有する材料からなるものでもよい。グリップ部材は、たとえば、ポリシロキサン/シリコーン、または天然ゴム、あるいは他のゴム様材料など、シリコン系高分子などの高分子からなるものでもよい。グリップ部材をインキとして足底に塗布することができる。たとえば、プラスチゾルインキ、たとえば、エコプラスチゾルインキをスクリーン印刷技法、または他の方法で足底に塗布することができる。したがって、ビーディングで、一実施形態では、1つまたは複数の比較的細く長い高分子のグリップ部材、たとえば、幅5mm未満を有する細長いシリコーングリップ部材を提供することができる。
【００２６】
1つまたは複数のグリップ部材は透明でも、または不透明でもよい。したがって、グリップ部材は、足底の底面上であまり目立たない。それによって、滑り止め手段により圧迫ストッキングが通常の圧迫ストッキングと大幅に異なって見えるようにならないことが保証される。
【００２７】
圧迫ストッキングは、さらに、足部分から着用者の膝または大腿部まで延びる脚部分を備えることができる。圧迫ストッキングは膝までの長さのストッキングでも、または大腿部までの長さのストッキングでもよい。
【００２８】
圧迫ストッキングは、ストッキングによって着用者の脚に加えられる圧力がストッキングの頂部に向かって低下するように段階状の圧迫ストッキングでもよい。
【００２９】
第3の態様によれば、本発明は、圧迫ストッキングを提供し、圧迫ストッキングは、着用者の足の少なくとも一部を覆うための足部分であって、つま先領域、および踵領域、ならびにつま先領域と踵領域との間に延在する足底を含み、足底が床と接触する底面を有する、足部分と、足底の底面に配置された1つまたは複数のグリップ部材を形成するビーディングを含む滑り止め手段と、を備える。
【００３０】
第3の態様の1つまたは複数のグリップ部材を第1あるいは第2の態様の1つまたは複数のグリップ部材により構成することができる。たとえば、上記のように、ビーディングは、1つまたは複数の比較的細く長い高分子のグリップ部材、たとえば、幅5mm未満を有する細長いシリコーングリップ部材を提供することができる。いずれの態様でも、1つまたは複数のグリップ部材がビーディングで形成される場合、グリップ部材は、たとえば、幅5mm未満、または3mm未満、または2mm未満を有することができる。ビーディングは、第1および第2の態様に関して記載した材料のものでもよい。たとえば、ビーディングは、シリコーンビーディングでもよい。
【００３１】
次に、本発明の例を添付の図面を参照して記載する。
【図面の簡単な説明】
【００３２】
【図１】本発明の第1の実施形態による圧迫ストッキングを示す側面図である。
【図２】図1のストッキングを示す底面図である。
【図３ａ】横方向に伸張する前の図1および図2のストッキングのグリップ部材を示す図である。
【図３ｂ】横方に伸張した後の図1および図2のストッキングのグリップ部材を示す図である。
【発明を実施するための形態】
【００３３】
本発明の第1の実施形態による圧迫ストッキング1が図1に示されている。ストッキング1は、膝までの長さのストッキングであり、足部分11、および足部分11から上方に延びる脚部分12を備える。使用の際、すなわちストッキングが着用者によって着用された場合に、足部分11は着用者の足を覆うように構成され、脚部分12は着用者の下脚を着用者の膝まで覆うように構成される。足部分は、使用の際に着用者のつま先に位置付けられるつま先領域13、および使用の際に着用者の踵に位置付けられる踵領域14を備える。足部分11は、さらに、使用の際に着用者の足の足底に位置付けられる、つま先領域13と踵領域14との間に延在する足底15を備える。ストッキング1は、着用者の脚および足、特に足首に圧力を加えて、着用者が塞栓症を患う危険性を低減するように設計されるが、他の構成および用途の圧迫ストッキングを代替実施形態で提供することができる。
【００３４】
足底15は底面20を有し、底面20は、使用の際に、着用者が立つことができる床、または任意の他の支持面と接触することができる。図1のストッキングの底面図である図2で、底面20を最も良く見ることができる。複数のグリップ部材21、22、およびトレッド23を含む滑り止め手段が足底に設けられる。
【００３５】
グリップ部材21、22は、底面20から隆起し、それぞれ実質的に正弦状の波形状を有する複数の細長いグリップ部材21を含む。各細長いグリップ部材21の伸張方向は、実質的に足底15の横方向(幅の方向)であり、その方向は、図2の点線26で示した、足底15の長手方向(長さ方向)に対して垂直である。細長いグリップ部材21は足底15の底面20の幅の大部分にわたって延在する。しかし、底面20は足底の長さに沿って変わる幅を有するため、細長いグリップ部材21も様々な長さを有する。概して、細長いグリップ部材は、足底15が概して最大幅である足底15のつま先領域13に向かって長さを増す。
【００３６】
細長いグリップ部材21は、足底15の長手方向26に間隔をおいて配置される。直接隣接する細長いグリップ部材21の長手方向26の間隔は実質的に等しい。各細長いグリップ部材21の振動パターンは実質的に同じである。すなわち、細長いグリップ部材21の波形状は実質的に同一の振動周波数および振幅を有する。さらに、各細長いグリップ部材21の波形状の山と谷は、他のグリップ部材21が存在する場合は、対応する山と谷に長手方向に位置合せされる。
【００３７】
この実施形態では、ストッキング1は、スパンデックス(エラスタン)25%、ナイロン75%を含む材料で主に形成された段階状の圧迫ストッキングであり、仰臥位の場合に、着用者の足首に圧縮圧力約17mmHgまたは18mmHgを与えることができる。ストッキングは、Ultra-Fresh(商標)など、抗菌剤で処理されることが好ましい。この処理は、ストッキングに高度の抗菌性能を与え、たとえば、30回以上洗濯しても、黄色ブドウ球菌のコロニー形成単位(CFU)の99.999%より多くを死滅させる。グリップ部材21、22は、透明であり、底面20にコーティングされたシリコーンビーディングから形成される。グリップ部材21、22を形成するシリコーン材料は弾性であり、したがって、伸張可能である。様々な寸法を有するストッキングを着用者に合うように提供することができる。寸法範囲を人口の大部分をカバーするように設計することができる。
【００３８】
足底15を含むストッキング1を形成する材料は、ストッキング1を着用するときに伸張するように設計される。この実施形態では、足底15の伸張は、主に足底15の横方向に生じる。細長いグリップ部材21の波形状構成と細長いグリップ部材21が形成される材料の弾性性質の組合せにより、細長いグリップ部材21は足底15に合わせて伸張する。その結果、細長いグリップ部材21は足底15の伸張特性をあまり変えない。足底15が横方向に伸張するときに、細長いグリップ部材21の波形状は、図3aおよび図3bの細長いグリップ部材21と比較してみられるように、より直線になる傾向がある。
【００３９】
滑り止め手段は、細長いグリップ部材21の他に、細長いグリップ部材21の全てを部分的に取り囲む実質的にU形のグリップ部材22を含む。具体的には、U形グリップ部材22は、足底15のつま先領域13の端部以外の細長いグリップ部材21の全ての側部を取り囲む。この実施形態では、U形グリップ部材22は、細長いグリップ部材21の端部に近接するが接触しないように延在する。U形グリップ部材22は、底面20の横側および踵端部に追加の滑り止め特性を与えることができる。足のつま先領域は、踵領域よりも概して広い。したがって、ストッキング1の足底の伸張は、つま先領域13に向かってより大きくなることができる。つま先領域13に向かうように位置付けられたU形の開口部を有することによって、U形グリップ部材22の端部22a、22bが離れるように移動して、たとえば、U形グリップ部材22が裂けることなく、伸張に対応することができる。
【００４０】
滑り止め手段は、グリップ部材21、22の他に、底面20の一部に形成されたトレッド23を含むことができる。この実施形態のトレッド23は、この領域のストッキングを形成する材料の特殊な織物から形成される。この実施形態でトレッドを形成する織物は、ストッキングの他の部分(たとえば、直接隣接する部分)を形成する織物よりも概して粗い。織物は、底面20内に複数のリブを形成するようになされる。幾つかのグリップ部材21は、トレッドに重なるように設けられる。
【００４１】
トレッドと1つまたは複数のグリップ部材の組合せによって、底面20の滑り止め機能が向上される。たとえば、トレッド23は一部のグリップ部材21間の間隔内に滑り止め機能を与える。
【００４２】
トレッド23は、足底15の厚さを厚くし、断裂に対する耐性を増強して、足底15に耐久性がより高い領域も与える。
【００４３】
つま先開口部24が、足部分11のつま先領域13に隣接する足底の底面20に設けられる。つま先開口部24は、弾性ウエルト25によって取り囲まれる。必要に応じて、着用者の1つまたは複数の足指を取り囲むように、ウエルト25およびつま先開口部24を伸張し開放して、ストッキング1を着用したまま、足指を検査することができる。滑り止め手段がつま先開口部24の近くに滑り止め機能を確実に与えるようにするには、つま先開口部24の最も近くに位置付けられる細長いグリップ部材21の中心部分をウエルト25の外縁から2cm以下に位置付ける。
【００４４】
当業者には理解されるように、広範に記載した本発明の範囲から逸脱することなく、特定の実施形態で示した本発明に、多くの変更および/または修正を加えることができる。したがって、本実施形態は、あらゆる点で例示であり、限定的ではないと考えられるべきである。
【符号の説明】
【００４５】
1  圧迫ストッキング
11  足部分
12  脚部分
13  つま先領域
14  踵領域
15  足底
20  底面
21  細長いグリップ部材
22  U形グリップ部材
22a、22b  U形グリップ部材の端部
23  トレッド
24  つま先開口部
25  ウエルト
26  長手方向
【図１】
2013544982.tif 000003
【図２】
2013544982.tif 000004
【図３ａ】
2013544982.tif 000005
【図３ｂ】
2013544982.tif 000006
【国際調査報告】
2013544982.tif 000007
2013544982.tif 000008